(57)【特許請求の範囲】
【請求項１】
表示時に画面単位で表示されるページを含む文書ファイルのページが分割された領域ごとに当該領域が含む文字列から第１の単語を抽出する抽出部と、
音声認識を実行する認識部と、
所定の表示装置に表示中であるページ内の領域ごとに当該領域から抽出された第１の単語と前記音声認識の結果として得られる第２の単語とからスコアを算出する第１算出部と、
前記領域ごとに算出されたスコアのうち最高のスコアが第１の閾値以上である場合に、ハイライト表示が実行中である第１の領域と、当該最高のスコアが第１の閾値以上である第２の領域との間で距離を算出する第２算出部と、
領域間の距離とハイライト表示の移行が発生する頻度とが対応付けられた頻度データに含まれる頻度のうち前記第１の領域及び前記第２の領域の距離に対応する頻度が第２の閾値以上である場合には、前記第２の領域に対するハイライト表示の実行を決定し、前記第２の閾値未満である場合には、前記最高のスコアが前記第１の閾値以上と算出される頻度が第３の閾値以上になるまで、前記第１の領域に対するハイライト表示の実行を決定する決定部と
を有することを特徴とするプレゼンテーション支援装置。
【請求項２】
前記第１算出部は、前記第２の単語に関する出現頻度、モーラ数、及び、前記音声認識の結果の確からしさのうち少なくとも１つ以上を用いて、前記スコアを算出することを特徴とする請求項１に記載のプレゼンテーション支援装置。
【請求項３】
前記第２算出部は、前記領域ごとに算出されたスコアのうち最高のスコアが他の領域のスコアよりも所定倍以上大きい場合に、前記距離の算出を実行することを特徴とする請求項１または２に記載のプレゼンテーション支援装置。
【請求項４】
前記決定部は、前記最高のスコアが前記第１の閾値よりも大きい第４の閾値以上である場合に、前記第１の領域及び前記第２の領域の距離に対応する頻度が前記第２の閾値未満である場合でも、前記第２の領域に対するハイライト表示の実行を決定することを特徴とする請求項１〜３のいずれか１つに記載のプレゼンテーション支援装置。
【請求項５】
前記表示装置のスクリーンの大きさと、前記スクリーンから所定の視点の位置までの距離とを用いて、前記ハイライト表示が前記第１の領域から前記第２の領域へ移行する前後で視線が変化する角度を算出する算出部を有し、
前記決定部は、前記角度が第５の閾値以上である場合に、前記最高のスコアが前記第１の閾値以上と算出される頻度が第３の閾値以上になるまで、前記第１の領域に対するハイライト表示の実行を決定することを特徴とする請求項１〜４のいずれか１つに記載のプレゼンテーション支援装置。
【請求項６】
コンピュータが、
表示時に画面単位で表示されるページを含む文書ファイルのページが分割された領域ごとに当該領域が含む文字列から第１の単語を抽出し、
音声認識を実行し、
所定の表示装置に表示中であるページ内の領域ごとに当該領域から抽出された第１の単語と前記音声認識の結果として得られる第２の単語とからスコアを算出し、
前記領域ごとに算出されたスコアのうち最高のスコアが第１の閾値以上である場合に、ハイライト表示が実行中である第１の領域と、当該最高のスコアが第１の閾値以上である第２の領域との間で距離を算出し、
領域間の距離とハイライト表示の移行が発生する頻度とが対応付けられた頻度データに含まれる頻度のうち前記第１の領域及び前記第２の領域の距離に対応する頻度が第２の閾値以上である場合には、前記第２の領域に対するハイライト表示の実行を決定し、前記第２の閾値未満である場合には、前記最高のスコアが前記第１の閾値以上と算出される頻度が第３の閾値以上になるまで、前記第１の領域に対するハイライト表示の実行を決定する
処理を実行することを特徴とするプレゼンテーション支援方法。
【請求項７】
コンピュータに、
表示時に画面単位で表示されるページを含む文書ファイルのページが分割された領域ごとに当該領域が含む文字列から第１の単語を抽出し、
音声認識を実行し、
所定の表示装置に表示中であるページ内の領域ごとに当該領域から抽出された第１の単語と前記音声認識の結果として得られる第２の単語とからスコアを算出し、
前記領域ごとに算出されたスコアのうち最高のスコアが第１の閾値以上である場合に、ハイライト表示が実行中である第１の領域と、当該最高のスコアが第１の閾値以上である第２の領域との間で距離を算出し、
領域間の距離とハイライト表示の移行が発生する頻度とが対応付けられた頻度データに含まれる頻度のうち前記第１の領域及び前記第２の領域の距離に対応する頻度が第２の閾値以上である場合には、前記第２の領域に対するハイライト表示の実行を決定し、前記第２の閾値未満である場合には、前記最高のスコアが前記第１の閾値以上と算出される頻度が第３の閾値以上になるまで、前記第１の領域に対するハイライト表示の実行を決定する
処理を実行させることを特徴とするプレゼンテーション支援プログラム。
【発明の詳細な説明】
【技術分野】
【０００１】
本発明は、プレゼンテーション支援装置、プレゼンテーション支援方法及びプレゼンテーション支援プログラムに関する。
【背景技術】
【０００２】
プレゼンテーションを支援する技術の一例として、画像データと音声データを対応付ける情報処理方法が提案されている。
【０００３】
この情報処理方法では、画像データと音声データを対応付けるため、画像データから文字領域を検出し、文字領域から文字を認識する。一方、情報処理方法では、音声データから音声区間を検出し、音声を認識する。そして、情報処理方法では、認識された文字の文字列と音声を変換した文字列、又は、認識された文字を変換した発音列と音声の発音列等を比較・照合することによって文字と音声を対応付ける。その上で、情報処理方法では、音声区間に対応する静止画像の対応部分に枠を付与して表示する。
【０００４】
さらに、情報処理方法では、文字情報の候補の認識確率等と音声情報の候補の認識確率等とに基づいて、文字情報の候補又は音声情報の候補に重み付けを付与してそれぞれの候補間の関連の度合いを算出し、関連の度合いを利用して、文字情報の候補と音声情報の候補とを対応付ける。
【先行技術文献】
【特許文献】
【０００５】
【特許文献１】特開２００４−７３５８号公報
【特許文献２】特開２００５−１５０８４１号公報
【特許文献３】特開平６−２２３１０４号公報
【特許文献４】特開２００５−１７３１０９号公報
【発明の概要】
【発明が解決しようとする課題】
【０００６】
しかしながら、上記の技術では、誤認識が原因となってハイライト表示がばたつく場合がある。
【０００７】
すなわち、上記の情報処理装置では、画像データと音声データの対応付けに、音声認識が用いられるが、音声認識の精度には、自ずから限界がある。そして、誤認識が発生する場合、ハイライト表示がプレゼンタの説明箇所から離れた後にプレゼンタの説明箇所に戻るといったハイライト表示の繰り返しにより、ハイライト表示がばたつく場合がある。このばたつきを抑制するために、ハイライトが実行中である箇所からの距離と反比例する重みを音声認識の結果へ付与したとしても、プレゼンタの説明箇所が実際に遠くに移動する場合に不都合が生じる。例えば、ハイライト表示の移動が大幅に遅れたり、又は、プレゼンタの説明箇所をハイライト表示の移動先として正しく判断できない場合がある。
【０００８】
１つの側面では、本発明は、ハイライト表示がばたつくのを抑制できるプレゼンテーション支援装置、プレゼンテーション支援方法及びプレゼンテーション支援プログラムを提供することを目的とする。
【課題を解決するための手段】
【０００９】
一態様のプレゼンテーション支援装置は、表示時に画面単位で表示されるページを含む文書ファイルのページが分割された領域ごとに当該領域が含む文字列から第１の単語を抽出する抽出部と、音声認識を実行する認識部と、所定の表示装置に表示中であるページ内の領域ごとに当該領域から抽出された第１の単語と前記音声認識の結果として得られる第２の単語とからスコアを算出する第１算出部と、前記領域ごとに算出されたスコアのうち最高のスコアが第１の閾値以上である場合に、ハイライト表示が実行中である第１の領域と、当該最高のスコアが第１の閾値以上である第２の領域との間で距離を算出する第２算出部と、領域間の距離とハイライト表示の移行が発生する頻度とが対応付けられた頻度データに含まれる頻度のうち前記第１の領域及び前記第２の領域の距離に対応する頻度が第２の閾値以上である場合には、前記第２の領域に対するハイライト表示の実行を決定し、前記第２の閾値未満である場合には、前記最高のスコアが前記第１の閾値以上と算出される頻度が第３の閾値以上になるまで、前記第１の領域に対するハイライト表示の実行を決定する決定部とを有する。
【発明の効果】
【００１０】
一側面によれば、ハイライト表示がばたつくのを抑制できる。
【図面の簡単な説明】
【００１１】
【図１】図１は、実施例１に係るプレゼンテーション支援システムの構成を示す図である。
【図２】図２は、実施例１に係るプレゼンテーション支援装置の機能的構成を示すブロック図である。
【図３】図３は、領域間の距離の算出方法の一例を示す図である。
【図４】図４は、頻度データの一例を示す図である。
【図５】図５は、実施例１に係る抽出単語データの生成処理の手順を示すフローチャートである。
【図６】図６は、実施例１に係る音声認識処理の手順を示すフローチャートである。
【図７】図７は、実施例１に係るハイライトの表示制御処理の手順を示すフローチャートである。
【図８】図８は、角度の一例を示す図である。
【図９】図９は、角度の一例を示す図である。
【図１０】図１０は、実施例１及び実施例２に係るプレゼンテーション支援プログラムを実行するコンピュータのハードウェア構成例を示す図である。
【発明を実施するための形態】
【００１２】
以下に添付図面を参照して本願に係るプレゼンテーション支援装置、プレゼンテーション支援方法及びプレゼンテーション支援プログラムについて説明する。なお、この実施例は開示の技術を限定するものではない。そして、各実施例は、処理内容を矛盾させない範囲で適宜組み合わせることが可能である。
【実施例１】
【００１３】
［システム構成］
図１は、実施例１に係るプレゼンテーション支援システムの構成を示す図である。図１に示すプレゼンテーション支援システム１は、文書ファイルに含まれるページ画面、例えばスライドのうち表示装置５に表示されるページの中で音声認識の結果に対応する領域をハイライト表示させるプレゼンテーション支援サービスを提供する。
【００１４】
かかるプレゼンテーション支援サービスの一環として、プレゼンテーション支援システム１は、表示中のスライドの中でハイライト表示を行う領域が移行される距離に対応する頻度が閾値未満である場合、移行先の領域に関する音声認識のスコアが閾値以上となる頻度が高まるまでハイライト表示の移行を保留する。
【００１５】
これによって、一側面として、誤認識が原因となってハイライト表示がプレゼンタの説明箇所から離れた後にプレゼンタの説明箇所に戻るといったハイライト表示の移行が抑制される。したがって、ハイライト表示がばたつくのを抑制できる。他の側面として、移行先の領域に関する音声認識のスコアが閾値以上となる頻度が高まると保留は解除される。それ故、ハイライト表示が実行中である領域からの距離と反比例する重みを音声認識の結果へ付与する場合のように、ハイライト表示の移動が大幅に遅れたり、又は、プレゼンタの説明箇所をハイライト表示の移行先として正しく判断できないといった事態が生じるのは抑制できる。
【００１６】
ここで、以下では、一例として、上記のハイライト表示に関する機能がプレゼンテーションソフトにアドオンされる場合を想定し、当該プレゼンテーションソフトを用いて作成された文書ファイルが含む１または複数のスライドを表示装置５に表示させることによってプレゼンテーションが進行される場合を想定する。かかるスライドには、テキストや図形を始め、他のアプリケーションプログラムによって作成されたコンテンツをインポートすることができる。例えば、ワープロソフトで作成された文書、表計算ソフトで作成された表やグラフをインポートしたり、撮像装置で撮像された画像や動画、さらには、画像編集ソフトで編集された画像や動画などをインポートしたりすることができる。
【００１７】
図１に示すように、プレゼンテーション支援システム１には、マイク３と、表示装置５と、入力装置７と、プレゼンテーション支援装置１０とが収容される。これらマイク３、表示装置５及び入力装置７などの周辺機器と、プレゼンテーション支援装置１０との間は、有線または無線により接続される。
【００１８】
マイク３は、音声を電気信号に変換する装置であり、マイクロフォンと呼ばれることもある。例えば、マイク３は、プレゼンテーションを実施するプレゼンタに装着させることができる。この場合、ヘッドセット型やタイピン型のマイクをプレゼンタの身体や衣服の所定位置に装着させたり、ハンド型のマイクをプレゼンタに携帯させたりすることができる。また、マイク３は、プレゼンタの発話が集音できる範囲の所定位置に設置することもできる。この場合、マイク３には、取付け型や据置き型のマイクを採用することもできる。これらいずれの場合においても、マイク３には、任意のタイプの指向性を持つマイクを採用できるが、プレゼンタの発話以外の音声、例えば聴講者等の発話や騒音などの雑音が集音されるのを抑制するために、マイクの感度をプレゼンタの発声方向に限定することもできる。なお、マイク３には、ダイナミック型、エレクトレットコンデンサ型、コンデンサ型などの任意の変換方式を採用することができる。
【００１９】
このマイク３に音声を採取することにより得られたアナログ信号は、デジタル信号へ変換された上でプレゼンテーション支援装置１０へ入力される。
【００２０】
表示装置５は、各種の情報を表示する装置である。例えば、表示装置５には、発光により表示を実現する液晶ディスプレイや有機ＥＬ（electroluminescence）ディスプレイなどを採用することもできるし、投影により表示を実現するプロジェクタを採用することもできる。また、表示装置５の設置台数は、必ずしも１台に限定されずともよく、複数の台数であってかまわない。以下では、一例として、プレゼンテーションの参加者であるプレゼンタ及び聴講者の両者が閲覧する共用の表示装置としてプロジェクタ及びプロジェクタが投影する画像を映すスクリーンが実装される場合を想定する。
【００２１】
この表示装置５は、一例として、プレゼンテーション支援装置１０からの指示にしたがってプレゼンテーション画面を表示する。例えば、表示装置５は、プレゼンテーション支援装置１０上で動作するプレゼンテーションソフトが開く文書ファイルのスライドを表示する。この場合、表示装置５は、文書ファイルが含むスライドのうちプレゼンタが入力装置７を介して指定する任意のスライドを表示させることもできるし、プレゼンテーションソフトが有するスライドショーの機能がＯＮ状態に設定された場合、各スライドが作成されたページ順に文書ファイルが含むスライドを切り替えて表示させることもできる。
【００２２】
入力装置７は、各種の情報に対する指示入力を受け付ける装置である。例えば、表示装置５がプロジェクタとして実装される場合、スクリーンに映し出されたスライド上の位置を指し示すレーザポインタを入力装置７として実装することもできる。すなわち、レーザポインタの中には、スライドのページを進めたり、戻したりする各種のボタンなどの操作部が設けられたリモコン機能付きのレーザポインタも存在する。このリモコン機能付きのレーザポインタが有する操作部を入力装置７として援用することもできる。この他、マウスやキーボードを入力装置７として採用したり、レーザポインタによって指し示されたポインタの位置のセンシング、プレゼンタの視線検出やジェスチャ認識を行うためにスクリーンまたはプレゼンタの所定の部位が撮像された画像を入力する画像センサを入力装置７として採用することもできる。なお、表示装置５が液晶ディスプレイとして実装される場合、入力装置７には、液晶ディスプレイ上に貼り合わせられたタッチセンサを採用することもできる。
【００２３】
この入力装置７は、一例として、プレゼンテーション支援装置１０上でプレゼンテーションソフトに実行させる文書ファイルの指定、スライドのページを進める操作やスライドのページを戻す操作などを受け付ける。このように入力装置７を介して受け付けられた操作は、プレゼンテーション支援装置１０へ出力されることになる。
【００２４】
プレゼンテーション支援装置１０は、プレゼンテーションソフトが実行されるコンピュータである。
【００２５】
一実施形態として、プレゼンテーション支援装置１０には、デスクトップ型またはノート型のパーソナルコンピュータなどの情報処理装置を採用することができる。この他、プレゼンテーション支援装置１０には、上記のパーソナルコンピュータなどの据置き型の端末のみならず、各種の携帯端末装置を採用することもできる。例えば、携帯端末装置の一例として、スマートフォン、携帯電話機やＰＨＳ（Personal  Handyphone  System）などの移動体通信端末、さらには、ＰＤＡ（Personal  Digital  Assistants）などのスレート端末などがその範疇に含まれる。
【００２６】
なお、本実施例では、あくまで一例として、プレゼンテーション支援装置１０が上記のプレゼンテーションソフトを外部のリソースに依存せずに単独で実行するスタンドアローンで上記のプレゼンテーション支援サービスを提供する場合を想定する。詳細は後述するが、上記のプレゼンテーション支援サービスは、スタンドアローンで提供される実装に限定されない。例えば、プレゼンテーションソフトを実行するクライアントに対し、上記のプレゼンテーション支援サービスを提供するサーバを設けることによってクライアントサーバシステムとして構築したり、シンクライアントシステムとして構築したりすることもできる。
【００２７】
［プレゼンテーション支援装置１０の構成］
続いて、本実施例に係るプレゼンテーション支援装置１０の機能的構成について説明する。図２は、実施例１に係るプレゼンテーション支援装置１０の機能的構成を示すブロック図である。図２に示すように、プレゼンテーション支援装置１０は、入出力Ｉ／Ｆ（InterFace）部１１と、記憶部１３と、制御部１５とを有する。なお、図２には、データの入出力の関係を表す実線が示されているが、図２には、説明の便宜上、最小限の部分について示されているに過ぎない。すなわち、各処理部に関するデータの入出力は、図示の例に限定されず、図示以外のデータの入出力、例えば処理部及び処理部の間、処理部及びデータの間、並びに、処理部及び外部装置の間のデータの入出力が行われることとしてもかまわない。
【００２８】
入出力Ｉ／Ｆ部１１は、マイク３、表示装置５及び入力装置７などの周辺機器との間で入出力を行うインタフェースである。
【００２９】
一実施形態として、入出力Ｉ／Ｆ部１１は、入力装置７から入力された各種の操作を制御部１５へ出力する。また、入出力Ｉ／Ｆ部１１は、制御部１５から出力されたスライドの画像データを表示装置５へ出力したり、スライドに含まれる領域に対するハイライト指示またはそのキャンセル指示を表示装置５へ出力したりする。また、入出力Ｉ／Ｆ部１１は、マイク３から入力された音声データを制御部１５へ出力する。
【００３０】
記憶部１３は、制御部１５で実行されるＯＳ（Operating  System）やプレゼンテーションソフトを始め、アプリケーションプログラムなどの各種プログラムに用いられるデータを記憶するデバイスである。
【００３１】
一実施形態として、記憶部１３は、プレゼンテーション支援装置１０における主記憶装置として実装される。例えば、記憶部１３には、各種の半導体メモリ素子、例えばＲＡＭ（Random  Access  Memory)やフラッシュメモリを採用できる。また、記憶部１３は、補助記憶装置として実装することもできる。この場合、ＨＤＤ（Hard  Disk  Drive）、光ディスクやＳＳＤ（Solid  State  Drive）などを採用できる。
【００３２】
記憶部１３は、制御部１５で実行されるプログラムに用いられるデータの一例として、文書データ１３ａ、抽出単語データ１３ｂ、認識単語データ１３ｃ及び頻度データ１３ｄを記憶する。なお、上記の文書データ１３ａ以外の抽出単語データ１３ｂ、認識単語データ１３ｃ及び頻度データ１３ｄは、制御部１５の説明で併せて説明することとする。また、記憶部１３には、上記のデータ以外にも、他の電子データ、例えばハイライト表示に関する定義データなども併せて記憶することもできる。
【００３３】
文書データ１３ａは、文書に関するデータである。
【００３４】
一実施形態として、文書データ１３ａには、プレゼンテーションソフトを用いて１または複数のスライドが作成された文書ファイルを採用できる。かかるスライドには、テキストや図形を始め、他のアプリケーションプログラムによって作成されたコンテンツをインポートすることができる。例えば、ワープロソフトで作成された文書、表計算ソフトで作成された表やグラフをインポートしたり、撮像デバイスで撮像された画像や動画、さらには、画像編集ソフトで編集された画像や動画などをインポートしたりすることができる。このように、テキスト以外のコンテンツには、音声認識によるキーワード検索を実現するために、プレゼンテーションの開始前までに当該コンテンツの説明語句や説明文などの文字列を含むメタ情報を付与しておくことができる。
【００３５】
制御部１５は、各種のプログラムや制御データを格納する内部メモリを有し、これらによって種々の処理を実行するものである。
【００３６】
一実施形態として、制御部１５は、中央処理装置、いわゆるＣＰＵ（Central  Processing  Unit）として実装される。なお、制御部１５は、必ずしも中央処理装置として実装されずともよく、ＭＰＵ（Micro  Processing  Unit）やＤＳＰ（Digital  Signal  Processor）として実装されることとしてもよい。また、制御部１５は、ＡＳＩＣ（Application  Specific  Integrated  Circuit）やＦＰＧＡ（Field  Programmable  Gate  Array）などのハードワイヤードロジックによっても実現できる。
【００３７】
制御部１５は、各種のプログラムを実行することによって下記の処理部を仮想的に実現する。例えば、制御部１５は、図２に示すように、抽出部１５ａと、認識部１５ｂと、解析部１５ｃと、第１算出部１５ｄと、第２算出部１５ｅと、決定部１５ｆと、表示制御部１５ｇとを有する。
【００３８】
抽出部１５ａは、文書ファイルに含まれるスライドから音声認識で用いる辞書データに登録する単語を抽出単語データ１３ｂとして抽出する処理部である。
【００３９】
一実施形態として、抽出部１５ａは、上記の抽出単語データ１３ｂを抽出する処理を自動的に開始することもできるし、手動設定で開始することもできる。例えば、自動的に開始する場合、プレゼンテーションソフトが文書ファイルを記憶部１３に保存した上で閉じる場合、あるいはプレゼンテーションを介する文書ファイルの編集中に文書ファイルが記憶部１３に保存された場合に、処理を起動させることができる。また、手動設定で開始する場合、入力装置７を介してプレゼンテーションの前処理の実行指示を受け付けた場合に、処理を起動させることができる。いずれの場合においても、記憶部１３に記憶された文書データ１３ａが含む文書ファイルのうち、保存または実行指示に対応する文書ファイルを読み出すことによって処理が開始される。
【００４０】
かかる抽出単語データ１３ｂの生成について説明すると、抽出部１５ａは、記憶部１３に記憶された文書データ１３ａが含む文書ファイルのうち保存が実行された文書ファイルあるいはプレゼンテーションの前処理の実行指示を受け付けた文書ファイルを読み出す。ここでは、一例として、抽出部１５ａが記憶部１３から文書ファイルを読み出す場合を例示したが、文書ファイルの入手経路はこれに限定されない。例えば、抽出部１５ａは、ハードディスクや光ディスクなどの補助記憶装置またはメモリカードやＵＳＢ（Universal  Serial  Bus）メモリなどのリムーバブルメディアから文書ファイルを取得することもできる。また、抽出部１５ａは、外部装置からネットワークを介して受信することによって文書ファイルを取得することもできる。
【００４１】
続いて、抽出部１５ａは、先に読み出した文書ファイルに含まれるスライドを複数の領域へ分割する。例えば、抽出部１５ａは、一文、行、段落などの単位でスライドを分割する。この場合、抽出部１５ａは、スライドが含む文字列を走査して、スペース、句点または改行に対応する区切り文字を検出し、当該区切り文字を領域の境界に設定する。かかる境界を前後に、抽出部１５ａは、スライドが含む文字列を区切る。これによって、スライドが複数の領域へ区切り文字ごとに分割される。その上で、抽出部１５ａは、スライドの分割によって得られた領域に当該領域を識別するインデックスを割り当てる。なお、ここでは、スライドを自動的に分割する場合を例示したが、入力装置７等を介して領域の境界を指定させることによってスライドを手動設定で分割することとしてもかまわない。
【００４２】
スライドの分割後に、抽出部１５ａは、当該スライドに含まれる複数の領域のうち領域を１つ選択する。続いて、抽出部１５ａは、先に選択された領域が含む文字列に対し、自然言語処理を実行することによって単語及びその読みを抽出する。例えば、抽出部１５ａは、領域内の文字列に形態素解析等を実行することにより得られた形態素のうち品詞が名詞である単語及び単語の読みを抽出する。その後、抽出部１５ａは、スライドが含む領域が全て選択されるまで上記の単語及び単語の読みの抽出を繰り返し実行する。その上で、抽出部１５ａは、単語、単語の読み及び単語が含まれる領域のインデックスが対応付けられた抽出単語データ１３ｂを記憶部１３へ登録する。
【００４３】
スライドの分割後に、抽出部１５ａは、当該スライドに含まれる複数の領域のうち領域を１つ選択する。続いて、抽出部１５ａは、先に選択された領域が含む文字列に対し、自然言語処理を実行することによって単語を抽出する。例えば、抽出部１５ａは、領域内の文字列に形態素解析等を実行することにより得られた形態素のうち品詞が名詞である単語や、文節を形成する単語などを抽出する。そして、抽出部１５ａは、先に抽出された各単語に当該単語が含まれる領域に割り当てられたインデックスを付与する。その後、抽出部１５ａは、スライドが含む領域が全て選択されるまで上記の単語の抽出及び上記のインデックスの付与を繰返し実行する。
【００４４】
このようにして全ての領域から単語が抽出された後に、抽出部１５ａは、スライドに含まれる単語ごとに当該単語ｋの文書中の出現回数を算出する。かかる文書中の出現回数は、一例として、単語ｋが文書中に出現する回数を集計することによって算出される。その上で、抽出部１５ａは、単語ｋ、インデックスｉｄｘ及び単語ｋの文書中の出現回数が対応付けられた抽出単語データ１３ｂを記憶部１３へ登録する。
【００４５】
認識部１５ｂは、音声認識を実行する処理部である。
【００４６】
一実施形態として、認識部１５ｂは、プレゼンテーションソフトが文書ファイルを開いた状態でプレゼンテーションの開始指示を受け付けた場合に起動し、マイク３から所定時間長の音声信号が入力されるまで待機する。例えば、少なくとも１フレーム分の時間長、例えば１０ｍｓｅｃの音声信号が入力されるのを待機する。そして、認識部１５ｂは、マイク３から所定時間長の音声信号が入力される度に、当該音声信号にワードスポッティングなどの音声認識を実行する。このとき、認識部１５ｂは、記憶部１３に記憶された抽出単語データ１３ｂのうちプレゼンテーションソフトが実行中である文書ファイルが含むスライドであり、かつ表示装置５に表示中であるスライドに関する抽出単語データ１３ｂをワードスポッティングに適用する。これによって、認識部１５ｂは、プレゼンタの発話の中に表示中のスライドに含まれる各領域から抽出された単語が存在するか否かを認識する。そして、認識部１５ｂは、音声信号から単語の読みが認識された場合、当該単語及びその単語が認識された時間が対応付けられた認識単語データ１３ｃを記憶部１３へ登録する。なお、同一の単語が時間経過に伴って複数回にわたって認識される場合には、最後、すなわち最新に認識された時刻が記憶部１３へ登録される。
【００４７】
その後、認識部１５ｂは、記憶部１３に記憶された認識単語データ１３ｃのうち記憶部１３へ登録されてから所定の期間が経過した単語が存在するか否かを判定する。例えば、認識部１５ｂは、認識単語データ１３ｃに含まれる単語ごとに、当該単語に対応付けて登録された時間と、認識部１５ｂが認識単語データ１３ｃを参照する時間、すなわち現時間との差が所定の閾値を超過するか否かを判定する。このとき、認識部１５ｂは、スライドが分割された単位、例えば一文、行や段落などによって上記の判定に用いる閾値を変えることができる。例えば、スライドが行単位で分割される場合、１つの領域で読み上げられる文字数はおよそ２０〜３０文字であると想定できる。この場合、上記の閾値の一例として、説明音声の平均的な読み上げ速度である、７拍／秒〜８拍／秒から読み上げに必要な時間を計算して、３秒を用いることができる。また、スライドが段落単位で分割される場合、行単位よりも長い時間が読み上げに割かれると想定できる。この場合、上記の閾値の一例として、（行数×３）秒を用いることができる。
【００４８】
ここで、記憶部１３へ登録されてから所定の期間、例えば３秒間が経過した単語が存在する場合、当該単語を含むスライドの領域に関する説明が終了している可能性が高まる。このような単語を残しておくと、説明が終了している領域がハイライトで表示される可能性も高まる。よって、認識部１５ｂは、記憶部１３に記憶された認識単語データ１３ｃから当該単語に関するレコードを削除する。一方、記憶部１３へ登録されてから所定の期間が経過した単語が存在しない場合、認識単語データ１３ｃに含まれる単語が出現するスライドの領域に関する説明が終了していない可能性が高まる。この場合、説明が終了している領域がハイライトで表示される可能性は低い。よって、認識部１５ｂは、記憶部１３に記憶された認識単語データ１３ｃに含まれる単語を削除せずにそのまま残す。
【００４９】
また、認識部１５ｂは、表示装置５に表示されるスライドのページが変更されたか否かを判定する。例えば、認識部１５ｂは、スライドショーによりスライドが切り替えられたり、入力装置７を介してスライドのページを進める操作またはスライドのページを戻す操作を受け付けたりしたかを判定する。このとき、表示装置５に表示されるスライドのページが変更された場合、プレゼンタの説明も変更前のページのスライドから変更後のページのスライドへ切り替わった可能性が高い。この場合、認識部１５ｂは、記憶部１３に記憶された認識単語データ１３ｃを削除する。一方、表示装置５に表示されるスライドのページが変更されていない場合、プレゼンタが説明するページにも変りがない可能性が高い。この場合、認識部１５ｂは、記憶部１３に記憶された認識単語データ１３ｃに含まれる単語を削除せずにそのまま残す。
【００５０】
これら一連の動作により、認識部１５ｂは、表示中であるスライドの中でプレゼンタが説明中である可能性が高い単語を認識する。以下では、抽出単語データ１３ｂに含まれる単語のことを「抽出単語」と記載すると共に、認識単語データ１３ｃに含まれる単語のことを「認識単語」と記載し、互いのラベルを区別する場合がある。
【００５１】
解析部１５ｃは、文書ファイルのレイアウトを解析する処理部である。
【００５２】
一実施形態として、解析部１５ｃは、表示装置５に表示されるスライドのページが変更された場合、変更後のスライド内のレイアウトの解析を開始する。例えば、解析部１５ｃは、スライドに含まれるテキストボックスの面積と、スライドに含まれるテキストボックス以外のコンテンツ、例えば図形、静止画及び動画の面積とを求める。その上で、解析部１５ｃは、スライドに占めるテキストボックスの面積の割合が所定値以上である場合、当該スライドのレイアウト種別を「テキスト」と判断する。また、解析部１５ｃは、スライドに占めるテキストボックス以外のコンテンツの割合が所定値以上である場合、当該スライドのレイアウト種別を「図形」と判断する。また、解析部１５ｃは、スライドに占めるテキストボックスの面積の割合が所定値未満であり、かつスライドに占めるテキストボックス以外のコンテンツの割合が所定値未満である場合、当該スライドのレイアウト種別を「混在」と判断する。
【００５３】
第１算出部１５ｄは、表示中であるスライド内の領域ごとに、当該領域に含まれる認識単語からスコアを算出する処理部である。
【００５４】
一実施形態として、第１算出部１５ｄは、表示装置５に表示中であるスライドが含む領域のインデックスのうちインデックスを１つ選択する。続いて、第１算出部１５ｄは、認識単語データ１３ｃに含まれる認識単語のうち先に選択されたインデックスの領域に含まれる認識単語を抽出する。このとき、抽出単語データ１３ｂを参照することにより、単語ｋの文書中の出現回数を取得することができる。その上で、第１算出部１５ｄは、認識単語ｘの文書中の出現回数ｆ（ｘ）、認識単語ｘのモーラ数ｍ（ｘ）、認識結果の確からしさｃ（ｘ）を用いて、認識単語ｘの単語スコアｓ（ｘ）を算出する。ここで言う「確からしさ」とは、認識結果が単語の標準モデルに含まれる各音素のスペクトラムとの間でどれだけ類似しているかを表し、例えば、完全に一致している場合には、その値が１．０となる。
【００５５】
より具体的には、第１算出部１５ｄは、下記の式（１）に上記の認識単語ｘの文書中の出現回数ｆ（ｘ）、ｘのモーラ数ｍ（ｘ）及び認識結果の確からしさｃ（ｘ）などのパラメータを代入することにより、認識単語ｘの単語スコアｓ（ｘ）を計算する。ここで、ｍｉｎ（ａ，ｂ）は、ａ及びｂのうち値が小さい方を出力する関数を指し、また、Ｍは、定数とし、例えば、６などが採用される。その後、第１算出部１５ｄは、領域ｄに含まれる認識単語ごとに単語スコアｓ（ｘ）を算出した上で全ての認識単語の単語スコアを合計することにより、ハイライトスコアＳ（ｄ）を算出する。なお、上記の式（１）では、認識単語ｘの単語スコアｓ（ｘ）を算出するのに、認識単語ｘの文書中の出現回数ｆ（ｘ）、認識単語ｘのモーラ数ｍ（ｘ）及び認識結果の確からしさｃ（ｘ）の３つのパラメータを用いる例を説明したが、これらのうち任意のパラメータだけを使っても良いし、また、求め方もこれに限るものではない。
【００５６】
ｓ（ｘ）＝１／ｆ（ｘ）×ｍｉｎ（１．０，ｍ（ｘ）／Ｍ）×ｃ（ｘ）・・・（１）
【００５７】
第２算出部１５ｅは、表示中のスライドに含まれる領域間の距離を算出する処理部である。
【００５８】
一実施形態として、第２算出部１５ｅは、第１算出部１５ｄにより領域ごとに算出されたハイライトスコアのうち最高スコアが所定の閾値Ｔｈ１、例えば「２」以上であるか否かを判定する。このとき、第２算出部１５ｅは、最高スコアが閾値Ｔｈ１以上である場合、ハイライト表示が実行中であるか否かをさらに判定する。そして、第２算出部１５ｅは、ハイライト表示が実行中である場合、第１算出部１５ｄにより最高スコアが算出された領域のインデックスと、ハイライト表示が実行中である領域のインデックスとが一致するか否かを判定する。なお、最高スコアが閾値Ｔｈ１未満である場合、ハイライト表示が実行中でない場合、又は、前回と今回の間で最高スコアを持つ領域に変動がない場合には、そもそもハイライト表示が行われていなかったり、ハイライト表示が行われていても移行が発生しないので、領域間の距離は算出されずともかまわない。
【００５９】
ここで、第２算出部１５ｅは、第１算出部１５ｄにより最高スコアが算出された領域とハイライト表示が実行中である領域とが異なる場合、これら２つの領域の間で互いの距離を算出する。
【００６０】
図３は、領域間の距離の算出方法の一例を示す図である。図３には、レイアウト種別が「テキスト」である横書きのスライド２００が例示されている。かかるスライド２００には、見出し項目「技術ポイント」、（１）の箇条書き「○○」、（２）の箇条書き「△△」を含む領域Ｅ１と、見出し項目「想定サービス」、（イ）の箇条書き「★★」、（ロ）の箇条書き「××」を含む領域Ｅ２とが含まれる。なお、ここでは、ハイライト表示が移動する方向がスライドの上から下である場合には符号を正とし、ハイライト表示が移動する方向がスライドの下から上である場合には符号を負として距離が算出される場合を想定する。
【００６１】
例えば、第２算出部１５ｅは、領域Ｅ１が持つ左上の頂点ＬＴ１の座標及び領域Ｅ２が持つ左上の頂点ＬＴ２の座標の間で距離ｄ１を算出することができる。また、第２算出部１５ｅは、領域Ｅ１の重心Ｇ１の座標及び領域Ｅ２の重心Ｇ２の座標の間で距離ｄ２を算出することもできる。さらには、第２算出部１５ｅは、領域Ｅ１の下端及び領域Ｅ２の上端との間で垂直方向の差を距離ｄ３として算出することもできる。また、第２算出部１５ｅは、領域Ｅ１の上端及び領域Ｅ２の下端との間で垂直方向の差を距離ｄ４として算出することもできる。この他、図示は省略したが、第２算出部１５ｅは、領域Ｅ１及び領域Ｅ２を結ぶ最短の直線の長さを距離ｄ５として算出することもできる。これらｄ１〜ｄ５のうちいずれか１つもしくは複数の距離の統計値が領域間の距離ｄとして算出される。
【００６２】
その上で、第２算出部１５ｅは、第１算出部１５ｄにより最高スコアが算出された領域が領域Ｅ１であり、かつハイライト表示が実行中である領域が領域Ｅ２である場合には正の符号を距離ｄへ付与する一方で、ハイライト表示が実行中である領域が領域Ｅ１であり、かつ第１算出部１５ｄにより最高スコアが算出された領域が領域Ｅ２である場合には負の符号を距離ｄへ付与する。さらに、第２算出部１５ｅは、先に求めた領域Ｅ１及び領域Ｅ２の間の距離ｄを正規化する。例えば、スライドの最上端から最下端まで移動する場合の距離を「１」とし、スライドの最下端から最上端まで移動する場合の距離を「−１」とし、−１から１までの値に正規化された距離Ｄを算出する。
【００６３】
決定部１５ｆは、ハイライト表示を実施する領域を決定する処理部である。
【００６４】
一実施形態として、決定部１５ｆは、第１算出部１５ｄにより算出されたハイライトスコアの中に上記の閾値Ｔｈ１以上であるハイライトスコアを持つ領域が存在する場合、次のようにしてハイライト表示を実行する領域を決定する。例えば、決定部１５ｆは、ハイライト表示が実行中でない場合には、最高スコアを持つ領域に関するハイライト表示の実行を決定する。一方、決定部１５ｆは、ハイライト表示が実行中である場合、第１算出部１５ｄにより最高スコアが算出された領域とハイライト表示が実行中である領域とが同一であるならば、実行中のハイライト表示を維持する。
【００６５】
ここで、第１算出部１５ｄにより最高スコアが算出された領域とハイライト表示が実行中である領域とが異なる場合、決定部１５ｆは、レイアウト種別ごとに領域間の距離とハイライト表示の移行が発生する頻度とが対応付けられた頻度データを参照して、解析部１５ｃにより解析された表示中のスライドのレイアウト種別、及び、第２算出部１５ｅにより算出された領域間の距離に対応するハイライト表示の移行頻度を導出する。
【００６６】
図４は、頻度データ１３ｄの一例を示す図である。図４には、レイアウト種別が「テキスト」である場合の頻度データ１３ｄが示されている。図４に示すグラフの横軸は、領域間の距離を指し、例えば、スライドの最上端から最下端まで移動する場合の距離を「１」とし、スライドの最下端から最上端まで移動する場合の距離を「−１」とし、−１から１までの値に正規化されている。また、縦軸は、ハイライト表示が移行する頻度を指す。図４に示すように、頻度データ１３ｄは、ハイライト表示が移行する頻度の分布状況を表すデータである。かかる頻度データ１３ｄによれば、レイアウト種別が「テキスト」である場合、ハイライト表示の移行の約８２％がスライド全体の１／５以内の距離であり、約９６％がスライド全体の半分以内の距離であることがわかる。このような頻度データ１３ｄは、一例として、誤認識のない正解データにしたがってハイライト表示の移行が行われること、並びに、一定回数以上のハイライト表示の移行が計測されることなどを条件とし、事前に実験や調査を行うことにより得られる。なお、図４には、レイアウト種別が「テキスト」である場合の頻度の分布状況が示されているが、実際には、レイアウト種別が「図形」である場合の頻度の分布状況、及び、レイアウト種別が「混在」である場合の頻度の分布状況も記憶部１３に記憶されていることとする。
【００６７】
このようにハイライト表示の移行頻度が導出された後、決定部１５ｆは、ハイライト表示の移行頻度が所定の閾値Ｔｈ２未満、例えば０．１であるか否かを判定する。このとき、ハイライト表示の移行頻度が閾値Ｔｈ２を超過する場合、決定部１５ｆは、ハイライト表示が実行中である領域から第１算出部１５ｄにより最高スコアが算出された領域へハイライト表示を移行させる。一方、ハイライト表示の移行頻度が閾値Ｔｈ２未満である場合、誤認識が原因となって誤った領域に移行される可能性が残るため、決定部１５ｆは、第１算出部１５ｄにより算出された最高スコアが閾値Ｔｈ１以上となる頻度が所定の閾値Ｔｈ３、例えば５秒間に２回以上であるか否かを判定する。
【００６８】
ここで、最高スコアが閾値Ｔｈ１以上となる頻度が閾値Ｔｈ３以上である場合、誤認識が発生している可能性は低くなったと推定できるため、ハイライト表示が移行頻度が小さい領域に移行される。この場合、決定部１５ｆは、ハイライト表示が実行中である領域から第１算出部１５ｄにより最高スコアが算出された領域へハイライト表示を移行させる。一方、最高スコアが閾値Ｔｈ１以上となる頻度が閾値Ｔｈ３未満である場合、誤認識によりハイライト表示が移行されるおそれも残る。この場合、決定部１５ｆは、ハイライト表示の移行を保留し、実行中のハイライト表示を維持する。
【００６９】
なお、ここでは、ハイライト表示の移行頻度が閾値Ｔｈ２未満である場合に第１算出部１５ｄにより算出された最高スコアが閾値Ｔｈ１以上となる頻度を判定する場合を例示したが、前回に最高スコアが閾値Ｔｈ１以上と判定されてから今回に最高スコアが閾値Ｔｈ１以上と判定されるまでの期間が所定の期間、例えば３秒間以内であるか否かを判定することとしてもかまわない。
【００７０】
表示制御部１５ｇは、表示装置５に対する表示制御を実行する処理部である。
【００７１】
一実施形態として、表示制御部１５ｇは、プレゼンテーションソフトにより文書ファイルが開かれた場合、当該文書ファイルが含むスライドを表示装置５に表示させる。このとき、表示制御部１５ｇは、文書ファイルが含むスライドのうち最初のページのスライドを表示させることとしてもよいし、最後に編集が行われたページのスライドを表示させることとしてもよい。その後、表示制御部１５ｇは、決定部１５ｆからの指示にしたがって決定部１５ｆにより決定される領域に関するハイライト表示を実行したり、ハイライト表示をキャンセルしたりする。ここで言う「ハイライト表示」は、狭義のハイライト表示、すなわち背景色を明るくしたり、反転したりする表示制御に留まらず、広義のハイライト表示を意味する。例えば、領域の塗りつぶしの強調、フォント（フォントサイズ、下線や斜体）の強調などのように、強調表示の全般を任意に実行することができる。
【００７２】
また、表示制御部１５ｇは、入力装置７を介してページの切替え指示を受け付けた場合、表示装置５に表示させるスライドを変更する。例えば、ページを進める操作を受け付けた場合、表示制御部１５ｇは、表示中のスライドの次ページのスライドを表示装置５に表示させる。また、ページを戻る操作を受け付けた場合、表示制御部１５ｇは、表示中のスライドの前ページのスライドを表示装置５に表示させる。
【００７３】
［処理の流れ］
次に、本実施例に係るプレゼンテーション支援装置１０の処理の流れについて説明する。なお、ここでは、プレゼンテーション支援装置１０によって実行される（１）抽出単語データの生成処理、（２）音声認識処理、（３）ハイライトの表示制御処理の順に説明することとする。
【００７４】
（１）抽出単語データの生成処理
図５は、実施例１に係る抽出単語データの生成処理の手順を示すフローチャートである。この処理は、自動的に開始することもできるし、手動設定で開始することもできる。例えば、自動的に開始する場合、プレゼンテーションソフトが文書ファイルを記憶部１３に保存した上で閉じる場合、あるいはプレゼンテーションを介する文書ファイルの編集中に文書ファイルが記憶部１３に保存された場合に、処理を起動させることができる。また、手動設定で開始する場合、入力装置７を介してプレゼンテーションの前処理の実行指示を受け付けた場合に、処理を起動させることができる。いずれの場合においても、記憶部１３に記憶された文書データ１３ａが含む文書ファイルのうち、保存または実行指示に対応する文書ファイルを読み出すことによって処理が開始される。
【００７５】
図５に示すように、抽出部１５ａは、文書ファイルに含まれるスライドを一文、行または段落などの単位で複数の領域へ分割する（ステップＳ１０１）。続いて、抽出部１５ａは、ステップＳ１０１で得られた領域に各領域を識別するインデックスを割り当てる（ステップＳ１０２）。
【００７６】
そして、抽出部１５ａは、ステップＳ１０２で割り当てられたインデックスのうちインデックスを１つ選択する（ステップＳ１０３）。続いて、抽出部１５ａは、ステップＳ１０３で選択されたインデックスの領域内の文字列に形態素解析等を実行することにより得られた形態素のうち品詞が名詞である単語を抽出する（ステップＳ１０４）。その後、抽出部１５ａは、ステップＳ１０４で抽出された各単語に当該単語が含まれる領域に割り当てられたインデックスを付与する（ステップＳ１０５）。
【００７７】
そして、抽出部１５ａは、ステップＳ１０２で割り当てられたインデックスが全て選択されるまで（ステップＳ１０６Ｎｏ）、上記のステップＳ１０３〜ステップＳ１０５までの処理を繰返し実行する。
【００７８】
その後、ステップＳ１０２で割り当てられたインデックスが全て選択された場合（ステップＳ１０６Ｙｅｓ）、抽出部１５ａは、スライドに含まれる単語ごとに当該単語ｋの出現頻度ｆｋを算出する（ステップＳ１０７）。その上で、抽出部１５ａは、単語ｋ、インデックスｉｄｘ及び出現頻度ｆｋが対応付けられた抽出単語データ１３ｂを記憶部１３へ登録し（ステップＳ１０８）、処理を終了する。
【００７９】
（２）音声認識処理
図６は、実施例１に係る音声認識処理の手順を示すフローチャートである。この処理は、プレゼンテーションソフトが文書ファイルを開いた状態でプレゼンテーションの開始指示を受け付けた場合に起動し、プレゼンテーションの終了指示を受け付けるまで繰返し実行される。
【００８０】
図６に示すように、認識部１５ｂは、マイク３から所定時間長の音声信号が入力されるまで、例えば少なくとも１フレーム分の時間長、例えば１０ｍｓｅｃの音声信号が入力されるまで待機する（ステップＳ３０１）。
【００８１】
そして、マイク３から所定時間長の音声信号が入力されると（ステップＳ３０１Ｙｅｓ）、認識部１５ｂは、当該音声信号にワードスポッティングなどの音声認識を実行する（ステップＳ３０２）。かかるステップＳ３０２でワードスポッティングが実行される場合には、記憶部１３に記憶された抽出単語データ１３ｂのうちプレゼンテーションソフトが実行中である文書ファイルが含むスライドであり、かつ表示装置５に表示中であるスライドに関する抽出単語データが辞書データとして適用される。
【００８２】
このとき、音声信号から単語が認識された場合（ステップＳ３０３Ｙｅｓ）、認識部１５ｂは、ステップＳ３０２で認識された単語及びその単語が認識された時間が対応付けられた認識単語データ１３ｃを記憶部１３へ登録し（ステップＳ３０４）、ステップＳ３０５の処理へ移行する。
【００８３】
一方、マイク３から所定時間長の音声信号が入力されていない場合、あるいは音声信号から単語が認識されなかった場合（ステップＳ３０１ＮｏまたはステップＳ３０３Ｎｏ）、以降の処理を飛ばしてステップＳ３０５の処理へ移行する。
【００８４】
ここで、認識部１５ｂは、記憶部１３に記憶された認識単語データ１３ｃのうち記憶部１３へ登録されてから所定の期間が経過した単語が存在するか否かを判定する（ステップＳ３０５）。そして、記憶部１３へ登録されてから所定の期間が経過した単語が存在する場合（ステップＳ３０５Ｙｅｓ）、認識部１５ｂは、記憶部１３に記憶された認識単語データ１３ｃから当該単語に関するレコードを削除する（ステップＳ３０６）。なお、記憶部１３へ登録されてから所定の期間が経過した単語が存在しない場合（ステップＳ３０５Ｎｏ）には、ステップＳ３０６の処理を飛ばしてステップＳ３０７の処理へ移行する。
【００８５】
その後、認識部１５ｂは、表示装置５に表示されるスライドのページが変更されたか否かを判定する（ステップＳ３０７）。このとき、表示装置５に表示されるスライドのページが変更された場合（ステップＳ３０７Ｙｅｓ）、認識部１５ｂは、記憶部１３に記憶された認識単語データ１３ｃを削除する（ステップＳ３０８）。さらに、解析部１５ｃは、表示装置５に表示されるスライドのレイアウトを解析する（ステップＳ３０９）。このようにして解析されたスライドのレイアウト種別が決定部１５ｆにより参照される内部メモリのワークエリアに登録される。
【００８６】
そして、ステップＳ３０１の処理へ戻り、上記のステップＳ３０１以降の処理が繰り返し実行される。なお、表示装置５に表示されるスライドのページが変更されていない場合（ステップＳ３０７Ｎｏ）、ステップＳ３０８の処理を実行せずにステップＳ３０１の処理へ戻る。
【００８７】
（３）ハイライトの表示制御処理
図７は、実施例１に係るハイライトの表示制御処理の手順を示すフローチャートである。この処理は、図６に示した音声認識処理と並行して実行される処理であり、プレゼンテーションソフトが文書ファイルを開いた状態でプレゼンテーションの開始指示を受け付けた場合に起動し、プレゼンテーションの終了指示を受け付けるまで繰返し実行される。なお、処理の実行が繰り返される周期は、図６に示した音声認識処理と同様であってもよいし、異なってもよく、図６に示した音声認識処理と同期して実行されることとしてもよいし、非同期で実行されることとしてもかまわない。
【００８８】
図７に示すように、第１算出部１５ｄは、表示中のスライドに含まれる領域ごとに当該領域のハイライトスコアを算出する（ステップＳ５０１）。その後、第２算出部１５ｅは、第２算出部１５ｅにより領域ごとに算出されたハイライトスコアのうち最高スコアが所定の閾値Ｔｈ１以上であるか否かを判定する（ステップＳ５０２）。
【００８９】
このとき、最高スコアが閾値Ｔｈ１未満である場合（ステップＳ５０２Ｎｏ）、処理を終了する。
【００９０】
一方、最高スコアが閾値Ｔｈ１以上である場合（ステップＳ５０２Ｙｅｓ）、第２算出部１５ｅは、ハイライト表示が実行中であるか否かをさらに判定する（ステップＳ５０３）。そして、ハイライト表示が実行中でない場合（ステップＳ５０３Ｎｏ）には、決定部１５ｆは、最高スコアを持つ領域に関するハイライト表示の実行を決定し（ステップＳ５１０）、処理を終了する。
【００９１】
ここで、ハイライト表示が実行中である場合（ステップＳ５０３Ｙｅｓ）、第２算出部１５ｅは、ステップＳ５０１で最高スコアが算出された領域のインデックスと、ハイライト表示が実行中である領域のインデックスとが一致するか否かを判定する（ステップＳ５０４）。なお、ステップＳ５０１で最高スコアが算出された領域とハイライト表示が実行中である領域とが同一である場合（ステップＳ５０４Ｎｏ）、決定部１５ｆは、実行中のハイライト表示を維持し（ステップＳ５１０）、処理を終了する。
【００９２】
このとき、ステップＳ５０１で最高スコアが算出された領域とハイライト表示が実行中である領域とが異なる場合（ステップＳ５０４Ｙｅｓ）、第２算出部１５ｅは、これら２つの領域の間で互いの距離を算出する（ステップＳ５０５）。
【００９３】
続いて、決定部１５ｆは、上記の頻度データ１３ｄを参照して、図６に示したステップＳ３０９で解析された表示中のスライドのレイアウト種別、及び、ステップＳ５０５で算出された領域間の距離に対応するハイライト表示の移行頻度を導出する（ステップＳ５０６）。
【００９４】
その後、決定部１５ｆは、ハイライト表示の移行頻度が所定の閾値Ｔｈ２未満であるか否かを判定する（ステップＳ５０７）。このとき、ハイライト表示の移行頻度が閾値Ｔｈ２未満である場合（ステップＳ５０７Ｙｅｓ）、誤認識が原因となってハイライト表示が遠く離れた領域に移行される可能性が残る。この場合、決定部１５ｆは、ステップＳ５０１で算出された最高スコアが閾値Ｔｈ１以上となる頻度が所定の閾値Ｔｈ３以上であるか否かを判定する（ステップＳ５０８）。
【００９５】
ここで、最高スコアが閾値Ｔｈ１以上となる頻度が閾値Ｔｈ３以上である場合（ステップＳ５０８Ｙｅｓ）、ハイライト表示が遠く離れた領域に移行されるが、誤認識が発生している可能性は低くなったと推定できる。この場合、決定部１５ｆは、ハイライト表示が実行中である領域からステップＳ５０１で最高スコアが算出された領域へハイライト表示を移行させ（ステップＳ５０９）、処理を終了する。一方、最高スコアが閾値Ｔｈ１以上となる頻度が閾値Ｔｈ３未満である場合（ステップＳ５０８Ｎｏ）、誤認識によりハイライト表示が移行されるおそれも残る。この場合、決定部１５ｆは、ハイライト表示の移行を保留して実行中のハイライト表示を維持し（ステップＳ５１０）、処理を終了する。
【００９６】
一方、ハイライト表示の移行頻度が閾値Ｔｈ２を超過する場合（ステップＳ５０７Ｎｏ）、ハイライト表示が近隣の領域に移行される可能性が高く、ハイライト表示が移行されてもばたつきが生じる可能性は低いとみなすことができる。この場合、決定部１５ｆは、ハイライト表示が実行中である領域から第１算出部１５ｄにより最高スコアが算出された領域へハイライト表示を移行させ（ステップＳ５０９）、処理を終了する。
【００９７】
［効果の一側面］
上述してきたように、本実施例に係るプレゼンテーション支援装置１０は、表示中のスライドの中でハイライト表示を行う領域が移行される距離に対応する頻度が閾値未満である場合、移行先の領域に関する音声認識のスコアが閾値以上となる頻度が高まるまでハイライト表示の移行を保留する。それ故、誤認識が原因となってハイライト表示がプレゼンタの説明箇所から離れた後にプレゼンタの説明箇所に戻るといったハイライト表示の移行が抑制される。したがって、本実施例に係るプレゼンテーション支援装置１０によれば、ハイライト表示がばたつくのを抑制できる。
【実施例２】
【００９８】
さて、これまで開示の装置に関する実施例について説明したが、本発明は上述した実施例以外にも、種々の異なる形態にて実施されてよいものである。そこで、以下では、本発明に含まれる他の実施例を説明する。
【００９９】
［角度の利用］
上記の実施例１では、ハイライト表示の移行を保留する条件の１つとして、ハイライト表示の移行頻度を用いる場合を例示したが、他のパラメータを上記の条件に用いることとしてもよい。例えば、プレゼンテーション支援装置１０は、ハイライト表示が移行する前後でプレゼンタまたは聴講者の視線が変化する角度を用いることができる。
【０１００】
すなわち、焦点から所定の角度、例えば５度（画面の１／４程度）外れた場所では、聴講者の視力は、焦点の場所に比べて約３０％にまで低下する。つまり、ハイライト表示が５度以上離れた場所に誤って移行された場合に聴講者の視線までハイライト表示に合わせて移動されると、聴講者は実際の説明箇所を読めなくなってしまう。そこで、プレゼンテーション支援装置１０は、一例として、聴講者の焦点が５度以上にわたってずれる位置にハイライト表示が移行する場合に、最高スコアが閾値Ｔｈ１以上となる頻度が閾値Ｔｈ３以上になるまでハイライト表示の移行を保留することもできる。
【０１０１】
図８は、角度の一例を示す図である。図８には、聴講者がプロジェクタのスクリーンでスライドを閲覧する場合が示されている。さらに、図８では、高さが１．５ｍである１００インチ程度のスクリーンが聴講者から５ｍの距離に配置されている場合を想定する。図８に示すように、ハイライト表示がスクリーンの上端及び下端の中央からスクリーンの面方向、例えば鉛直方向に距離「０．４４ｍ」離れた位置へ移動する場合、ｔａｎθ≒０．４４／５の関係が成立する。このため、角度θは、ｔａｎの逆関数であるａｒｃｔａｎを用いて、ａｒｃｔａｎ（０．４４／５）＝θの計算を行うことにより求めることができる。このようにして求まる角度θ≒５°となる。この場合、例えば、資料が文字の大きさ及び行間が等しい１０行で作られていたとすると、４行以上にわたってハイライト表示が移動し、５度以上焦点がずれることになる。したがって、ハイライト表示の移行が保留される。これによって、ハイライト表示が５度以上離れた場所に誤って移行された場合に聴講者の視線までハイライト表示に合わせて移動されるのを抑制できる。
【０１０２】
図９は、角度の一例を示す図である。図９には、聴講者がモニタでスライドを閲覧する場合が示されている。さらに、図９では、高さが４０ｃｍである２４インチ程度のスクリーンが聴講者から１００ｃｍの距離に配置されている場合を想定する。図９に示すように、ハイライト表示がスクリーンの上端及び下端の中央からスクリーンの面方向、例えば鉛直方向に距離「８．７ｃｍ」離れた位置へ移動する場合、ｔａｎθ≒８．７／１００の関係が成立する。このため、角度θは、ｔａｎの逆関数であるａｒｃｔａｎを用いて、ａｒｃｔａｎ（８．７／１００）＝θの計算を行うことにより求めることができる。このようにして求まる角度θ≒５°となる。この場合、例えば、資料が文字の大きさ・行間が等しい１０行で作られていたとすると、３行以上にわたってハイライト表示が移動し、５度以上ハイライトが飛ぶことになる。したがって、ハイライト表示の移行が保留される。これによって、ハイライト表示が５度以上離れた場所に誤って移行された場合に聴講者の視線までハイライト表示に合わせて移動されるのを抑制できる。
【０１０３】
このように、プレゼンテーション支援装置１０は、スクリーンの大きさと、スクリーンの表示面の法線方向に規定される所定の定点までの距離と、スクリーンの表示面と平行な面方向に規定される領域間の距離とを用いて、定点からハイライト表示の移行前の領域への視線がハイライト表示の移行後の領域への視線に変化する場合の角度を求める。その上で、プレゼンテーション支援装置１０は、当該角度が所定の閾値、上記の例では５度以上である場合に、最高スコアが閾値Ｔｈ１以上となる頻度が閾値Ｔｈ３以上になるまでハイライト表示の移行を保留する。
【０１０４】
［応用例１］
上記の実施例１では、最高スコアが閾値Ｔｈ１以上である領域をハイライト表示させる場合を例示したが、最高スコアが閾値Ｔｈ１以上であるからといって必ずしも当該領域のハイライト表示を行わずともよい。例えば、最高スコアが閾値Ｔｈ１以上であることに加え、第１算出部１５ｄにより算出される最高スコアが他の全ての区間のハイライトスコアの所定倍、例えば１．２倍以上である場合に最高スコアが閾値Ｔｈ１以上である領域をハイライト表示させ、所定倍未満である場合にハイライト表示させないこととしてもかまわない。これによって、僅差のハイライトスコアを持つ領域が存在する場合に対応付け誤りを抑制できる。
【０１０５】
［応用例２］
上記の実施例１では、最高スコアが閾値Ｔｈ１以上である領域をハイライト表示させる場合を例示したが、最高スコアが閾値Ｔｈ１よりも大きい閾値Ｔｈ４、例えば「３」以上である場合には、ハイライト表示の移行頻度にかかわらず最高スコアが閾値Ｔｈ４以上である領域をハイライト表示させることもできる。これによって、明らかに大きなハイライトスコアの場合は迅速に移行することで、より素早い対応付けが可能となる。
【０１０６】
［応用例３］
上記の実施例１では、決定部１５ｆは、第１算出部１５ｄにより算出されたハイライトスコアの中に上記の閾値Ｔｈ１以上であるハイライトスコアを持つ領域が存在しない場合、何も処理を行わずに処理を終了するとしているが、この際、ハイライト表示が実行中である領域があればそのハイライト表示を消去するようにしても良いし、ハイライト表示が実行中の領域のハイライトスコアが閾値Ｔｈ１未満となってから一定時間（例えば１０秒）以上経過した場合にハイライト表示を消去するようにしても良い。これによって、例えば説明において文書中に書かれていない話題の説明に移行した場合などに、ハイライト表示が一定時間経過後に消去されるため、聴講者にハイライト表示箇所の話題が続いているという誤解を与えることがなくなる。
【０１０７】
［文書ファイルの応用例］
上記の実施例１では、プレゼンテーションソフトによって作成された文書ファイルを用いる場合を例示したが、他のアプリケーションプログラムによって作成された文書ファイルを用いることができる。すなわち、表示時に画面単位で表示されるページを含む文書ファイルであれば、ワープロソフトの文書ファイルが有するページをスライドに読み替えたり、表計算ソフトの文書ファイルが有するシートをスライドに読み替えることによって図５〜図７に示した処理を同様に適用できる。
【０１０８】
［他の実装例］
上記の実施例１では、プレゼンテーション支援装置１０が上記のプレゼンテーションソフトを外部のリソースに依存せずに単独で実行するスタンドアローンで上記のプレゼンテーション支援サービスを提供する場合を例示したが、他の実装形態を採用することもできる。例えば、プレゼンテーションソフトを実行するクライアントに対し、上記のプレゼンテーション支援サービスを提供するサーバを設けることによってクライアントサーバシステムとして構築することもできる。この場合、パッケージソフトウェアやオンラインソフトウェアとして上記のプレゼンテーション支援サービスを実現するプレゼンテーション支援プログラムをインストールさせることによってサーバ装置を実装できる。例えば、サーバ装置は、上記のプレゼンテーション支援サービスを提供するＷｅｂサーバとして実装することとしてもよいし、アウトソーシングによって上記のプレゼンテーション支援サービスを提供するクラウドとして実装することとしてもかまわない。この場合、クライアントは、サーバ装置に対し、プレゼンテーションに用いる文書ファイル及びプレゼンテーションを実施する会場の識別情報をアップロードした後に、プレゼンテーションが開始される。プレゼンテーションが開始されると、クライアントは、マイク３から採取された音声信号をリアルタイムでアップロードし、表示装置５に表示中のスライドのページが切り替わる度にスライドのページ情報をアップロードする。これによって、サーバ装置は、図５〜図７に示した処理が実行可能となる。さらに、クライアントは、入力装置７に関する操作情報をサーバへ伝送し、サーバから伝送される処理結果だけを表示装置５に表示させることにより、シンクライアントシステムとして構築することもできる。この場合には、各種のリソース、例えば文書データもサーバにより保持されると共に、プレゼンテーションソフトもサーバで仮想マシンとして実装されることになる。なお、上記の実施例１では、プレゼンテーション支援プログラムがプレゼンテーションソフトにアドオンされる場合を想定したが、ライセンス権限を有するクライアントからプレゼンテーション支援プログラムをライブラリとして参照する要求を受け付けた場合に、プレゼンテーション支援プログラムをプラグインさせることもできる。
【０１０９】
［遠隔会議システムへの適用］
上記の実施例１では、１つの表示装置に表示された文書が複数人により共有して閲覧される場合を例示したが、複数の端末を遠隔会議システム等を介して接続し、複数の端末のうちいずれかの端末が共有文書とハイライトを指定し、他の端末へ情報を送信する場合にも同様に適用できる。
【０１１０】
［プレゼンテーション支援プログラム］
また、上記の実施例で説明した各種の処理は、予め用意されたプログラムをパーソナルコンピュータやワークステーションなどのコンピュータで実行することによって実現することができる。そこで、以下では、図１０を用いて、上記の実施例と同様の機能を有するプレゼンテーション支援プログラムを実行するコンピュータの一例について説明する。
【０１１１】
図１０は、実施例１及び実施例２に係るプレゼンテーション支援プログラムを実行するコンピュータのハードウェア構成例を示す図である。図１０に示すように、コンピュータ１００は、操作部１１０ａと、スピーカ１１０ｂと、カメラ１１０ｃと、ディスプレイ１２０と、通信部１３０とを有する。さらに、このコンピュータ１００は、ＣＰＵ１５０と、ＲＯＭ１６０と、ＨＤＤ１７０と、ＲＡＭ１８０とを有する。これら１１０〜１８０の各部はバス１４０を介して接続される。
【０１１２】
ＨＤＤ１７０には、図１０に示すように、上記の実施例１で示した抽出部１５ａ、認識部１５ｂ、解析部１５ｃ、第１算出部１５ｄ、第２算出部１５ｅ、決定部１５ｆ及び表示制御部１５ｇと同様の機能を発揮するプレゼンテーション支援プログラム１７０ａが記憶される。このプレゼンテーション支援プログラム１７０ａは、図２に示した抽出部１５ａ、認識部１５ｂ、解析部１５ｃ、第１算出部１５ｄ、第２算出部１５ｅ、決定部１５ｆ及び表示制御部１５ｇの各構成要素と同様、統合又は分離してもかまわない。すなわち、ＨＤＤ１７０には、必ずしも上記の実施例１で示した全てのデータが格納されずともよく、処理に用いるデータがＨＤＤ１７０に格納されればよい。
【０１１３】
このような環境の下、ＣＰＵ１５０は、ＨＤＤ１７０からプレゼンテーション支援プログラム１７０ａを読み出した上でＲＡＭ１８０へ展開する。この結果、プレゼンテーション支援プログラム１７０ａは、図１０に示すように、プレゼンテーション支援プロセス１８０ａとして機能する。このプレゼンテーション支援プロセス１８０ａは、ＲＡＭ１８０が有する記憶領域のうちプレゼンテーション支援プロセス１８０ａに割り当てられた領域にＨＤＤ１７０から読み出した各種データを展開し、この展開した各種データを用いて各種の処理を実行する。例えば、プレゼンテーション支援プロセス１８０ａが実行する処理の一例として、図５〜図７に示す処理などが含まれる。なお、ＣＰＵ１５０では、必ずしも上記の実施例１で示した全ての処理部が動作せずともよく、実行対象とする処理に対応する処理部が仮想的に実現されればよい。
【０１１４】
なお、上記のプレゼンテーション支援プログラム１７０ａは、必ずしも最初からＨＤＤ１７０やＲＯＭ１６０に記憶されておらずともかまわない。例えば、コンピュータ１００に挿入されるフレキシブルディスク、いわゆるＦＤ、ＣＤ−ＲＯＭ、ＤＶＤディスク、光磁気ディスク、ＩＣカードなどの「可搬用の物理媒体」に各プログラムを記憶させる。そして、コンピュータ１００がこれらの可搬用の物理媒体から各プログラムを取得して実行するようにしてもよい。また、公衆回線、インターネット、ＬＡＮ、ＷＡＮなどを介してコンピュータ１００に接続される他のコンピュータまたはサーバ装置などに各プログラムを記憶させておき、コンピュータ１００がこれらから各プログラムを取得して実行するようにしてもよい。
【符号の説明】
【０１１５】
１    プレゼンテーション支援システム
３    マイク
５    表示装置
７    入力装置
１０    プレゼンテーション支援装置
１１    入出力Ｉ／Ｆ部
１３    記憶部
１３ａ  文書データ
１３ｂ  抽出単語データ
１３ｃ  認識単語データ
１３ｄ  頻度データ
１５    制御部
１５ａ  抽出部
１５ｂ  認識部
１５ｃ  解析部
１５ｄ  第１算出部
１５ｅ  第２算出部
１５ｆ  決定部
１５ｇ  表示制御部
【図１】
0006432405.tif 000002
【図２】
0006432405.tif 000003
【図３】
0006432405.tif 000004
【図４】
0006432405.tif 000005
【図５】
0006432405.tif 000006
【図６】
0006432405.tif 000007
【図７】
0006432405.tif 000008
【図８】
0006432405.tif 000009
【図９】
0006432405.tif 000010
【図１０】
0006432405.tif 000011